【手続補正書】
【提出日】平成16年9月14日(2004.9.14)
【手続補正１】
【補正対象書類名】明細書
【補正対象項目名】発明の名称
【補正方法】変更
【補正の内容】
【発明の名称】内視鏡装置及び内視鏡離脱方法
【手続補正２】
【補正対象書類名】明細書
【補正対象項目名】特許請求の範囲
【補正方法】変更
【補正の内容】
【特許請求の範囲】
【請求項１】
カプセル状容器の少なくとも先端側に設けた観察手段、この観察手段より後方側に設けた膨張・収縮するバルーン、このバルーン内またはバルーンとカプセル状容器の間に流体を注入するための流体注入口を有するカプセル内視鏡と、前記内視鏡の流体注入口に着脱可能な流体供給用の可撓性のチューブ体とを備えたことを特徴とする内視鏡装置。
【請求項２】
前記流体注入口は、前記チューブ体の先端部を突き刺すことによりバルーン内またはバルーンとカプセル状容器の間に流体を注入でき、チューブ体の先端を抜いた時には密閉して、内部の流体が抜け出ない構造を有していることを特徴とする前記請求項１記載の内視鏡装置。
【請求項３】
前記チューブ体を、カプセル内視鏡とは別体の内視鏡の処置具チャンネル内に挿脱自在に構成したことを特徴とする前記請求項１又は２記載の内視鏡装置。
【請求項４】
請求項１から３のいずれかに記載の内視鏡装置において、前記チューブ体と連結された前記カプセル内視鏡を体腔内の任意の箇所で離脱させる方法であって、収縮させた状態のバルーンを膨張させるステップと、チューブ体とカプセル内視鏡の連結を解除するステップと、バルーンが膨張した状態のカプセル内視鏡を残してチューブ体のみを抜き取るステップと、を有することを特徴とするカプセル内視鏡離脱方法。
【手続補正３】
【補正対象書類名】明細書
【補正対象項目名】０００１
【補正方法】変更
【補正の内容】
【０００１】
【発明の属する技術分野】
本発明は、観察手段をカプセル状容器に内蔵したカプセル内視鏡により内視鏡検査する内視鏡装置及び内視鏡離脱方法に関する。
【手続補正４】
【補正対象書類名】明細書
【補正対象項目名】０００３
【補正方法】変更
【補正の内容】
【０００３】
従来技術としては、特公昭６２−６９３号や特開２０００−３４２５２２号のようなものがある。前者は、体腔壁への固定手段を有するカプセル本体を誘導制御するケーブルを備え、このケーブルに膨縮自在なバルーンを設け、このバルーンをカプセル本体の係合部に係合して連結し、カプセル本体を体腔壁に固定した後、この本体からケーブルを切り離すようにしたものである。
【手続補正５】
【補正対象書類名】明細書
【補正対象項目名】０００８
【補正方法】変更
【補正の内容】
【０００８】
【課題を解決するための手段】
本発明の内視鏡装置は、カプセル状容器の少なくとも先端側に設けた観察手段、この観察手段より後方側に設けた膨張・収縮するバルーン、このバルーン内またはバルーンとカプセル状容器の間に流体を注入するための流体注入口を有するカプセル内視鏡と、前記内視鏡の流体注入口に着脱可能な流体供給用の可撓性のチューブ体とから構成することにより、カプセル状容器の少なくとも先端側に設けた観察手段と観察手段より後方側に設けた膨張・収縮するバルーンと、バルーン内またはバルーンとカプセル状容器の間に流体を注入するための流体注入口に流体を送るためのチューブ体の先端を刺し込んで、チューブ体とカプセル内視鏡を連結し、バルーンを収縮させた状態でカプセル内視鏡を飲込み、体腔内の任意の箇所でバルーンを膨張させてバルーンを体腔壁に摩擦力で固定してからチューブ体とカプセル内視鏡の連結を解除し、バルーンが膨張した状態のカプセル内視鏡を体腔内に残して、チューブ体のみを体外に抜き取る。
【手続補正６】
【補正対象書類名】明細書
【補正対象項目名】００１０
【補正方法】変更
【補正の内容】
【００１０】
また、前記流体注入口は、前記チューブ体の先端部を突き刺すことによりバルーン内またはバルーンとカプセル状容器の間に流体を注入でき、チューブ体の先端を抜いた時には密閉して、内部の流体が抜け出ない構造にすることにより、上記構成の場合と同様にチューブ体とカプセル内視鏡が連結され、バルーンを収縮させた状態でカプセル内視鏡とは別体の内視鏡の処置具チャンネル内にチューブ体を挿入し、内視鏡と共にカプセル内視鏡を飲込み、内視鏡をガイドに体腔内の任意の箇所までカプセル内視鏡を運んだ後、バルーンを膨張させてからチューブ体とカプセル内視鏡の連結を解除し、バルーンが膨張した状態のカプセル内視鏡を残して、チューブ体および内視鏡を体外に抜き取ることも可能である。カプセル内視鏡を目的部位へ早く運びたい時には有効な手段である。
さらに本発明の内視鏡離脱方法は、請求項１から３のいずれかに記載の内視鏡装置において、前記チューブ体と連結された前記カプセル内視鏡を体腔内の任意の箇所で離脱させる方法であって、収縮させた状態のバルーンを膨張させるステップと、チューブ体とカプセル内視鏡の連結を解除するステップと、バルーンが膨張した状態のカプセル内視鏡を残してチューブ体のみを抜き取るステップと、を有することを特徴とする。
【手続補正７】
【補正対象書類名】明細書
【補正対象項目名】００５９
【補正方法】変更
【補正の内容】
【００５９】
本実施の形態は以下の効果を有する。  
カプセル内視鏡２Ｃとチューブ体３Ｃの連結を解除した時には、針状細径部１１が二重管の外筒２８内に収納される構造をしているので、チューブ体３Ｃを抜去する時に針状部材により体腔内壁を誤って損傷するようなことはない。また、針状細径部１１を外筒２８内に収納しながら引く抜くことで、バルーン７を体腔内壁に密着させなくても連結が容易に解除できる。
略する。
【手続補正８】
【補正対象書類名】明細書
【補正対象項目名】００７０
【補正方法】変更
【補正の内容】
【００７０】
本実施の形態は以下の効果を有する。  
カプセル内視鏡２Ｄを用いて、十二指腸までは通常の内視鏡の挿入性を保ちつつ通常の内視鏡と同様に検査できる。カプセル内視鏡２Ｄとアングル付きガイドチューブ４１を一体とし十二指腸までは通常の内視鏡と変わらず挿入できるため、カプセル内視鏡２Ｄを小腸１２などの深部へ容易に挿入できる。
【手続補正９】
【補正対象書類名】明細書
【補正対象項目名】００９２
【補正方法】変更
【補正の内容】
【００９２】
［付記］
５．前記チューブ体は、先端に針状細径部を有し、手元側にシリンジ等の流体注入具を着脱可能に連結できる手元口金部を有していることを特徴とする前記請求項１乃至３記載の内視鏡装置。  
６．前記チューブ体は、先端に針状細径部を有する内筒と内筒の外周を取り囲む外筒の二重管構造で、手元側の操作により内筒の針状細径部が外筒内から出没自在に構成したことを特徴とする前記請求項１乃至３、付記５記載の内視鏡装置。
【手続補正１０】
【補正対象書類名】明細書
【補正対象項目名】００９３
【補正方法】変更
【補正の内容】
【００９３】
７．前記チューブ体とカプセル内視鏡が連結され、バルーンを収縮させた状態でカプセル内視鏡とは別体の内視鏡の処置具チャンネル内にチューブ体を挿入し、内視鏡と共にカプセル内視鏡を飲込み、内視鏡をガイドに体腔内の任意の箇所までカプセル内視鏡を運んだ後、バルーンを膨張させてからチューブ体とカプセル内視鏡の連結を解除し、バルーンが膨張した状態のカプセル内視鏡を残して、チューブ体および内視鏡を体外に抜き取る方法を前記請求項１乃至３、付記５、６記載の内視鏡装置を用いて行うことを特徴とする内視鏡装置。  
８．ＶＭＩＳ（閾値変調型イメージセンサ）を用いた撮像手段を設けたことを特徴とする請求項１乃至３記載の内視鏡装置。